(57)【要約】  ハンドル（１０）と、可動裁断ヘッド（６９）を有する筒（１１）とを備える縫合糸裁断用カッタ。筒は、静止裁断エッジ（４６）及び可動裁断エッジ（６１）を支持する。可動支持体（５１）は可動裁断エッジを運ぶとともに、静止裁断エッジから任意の距離を空けた表面を有する。静止裁断エッジから任意の間隔を有する側壁（４８）は、可動裁断エッジの、縫合糸の裁断の際における静止裁断エッジとの裁断接触から離れる動きを規制する。凹部（６７）は、可動裁断エッジがスライドする案内支持表面（５８）に形成され、ハンドルが駆動され可動裁断エッジが基部側に退避する際にそのエッジを鋭利にするのを許容する。【選択図】図１
2008532645.tif 000002
【特許請求の範囲】
【請求項１】
軸方向に延びる縦軸を有する筒に係合するハンドル部材と、
前記筒の先端部に配置され、前記筒を通って前記ハンドル部分に係合されて、前記ハンドル部材の駆動により前記縦軸に沿って軸方向にスライドする、スライド裁断部材と、を備え、
前記スライド裁断部材は前記スライド裁断部材の先端のヘッドに配置される第１の裁断エッジを形成し、
前記筒の前記先端部は、前記第１の裁断エッジに平行する第２の裁断エッジと、前記第２の裁断エッジの反対側に配置され、前記裁断部材の先端のヘッドの幅と実質的に等しい受け幅を有する案内表面と、を形成し、前記先端のヘッドは、前記スライド裁断部材が前記ハンドル部材によって駆動されることにより前記受け幅を通って挿入可能である縫合糸裁断用医療装置。
【請求項２】
前記筒の先端部は縫合糸を捕えるフック部材を形成する、請求項１の医療装置。
【請求項３】
前記筒の先端部は、前記スライド裁断部材が駆動されて前記縫合糸と係合し前記第１及び第２の裁断エッジが前記縫合糸を裁断するのに先立って前記縫合糸を前記第１及び第２の裁断エッジの間に配置するための縫合糸通路をさらに形成し、前記縫合糸通路は前記フック部材と前記スライド裁断部材との間に配置される、請求項２の医療装置。
【請求項４】
前記スライド裁断部材は前記ハンドル部材の駆動により、前記筒の先端に配置された案内部材に形成された溝に沿ってスライドし、
前記スライド裁断部材は、前記医療装置の前記筒から分離して、前記溝から取り外し可能である、請求項１の縫合糸裁断用医療装置。
【請求項５】
前記案内部材は、前記縦軸に沿う前記筒の軸位置において、前記スライド裁断部材の両側に並ぶ２つの凹部を有し、前記スライド裁断部材が前記筒の先端部から引っ込められているとき、前記第１の裁断エッジは前記２つの凹部と整列し、鋭利化用の器具が記第１の裁断エッジを鋭利にするために前記凹部を通って挿入されるのを許容する、請求項４の縫合糸裁断用医療装置。
【請求項６】
前記第１の裁断エッジは前記スライド裁断部材の先端の裁断面に形成され、前記裁断面及び２つの凹部は、前記縦軸に垂直でない面に平行に整列する、請求項１の縫合糸裁断用医療装置。
【請求項７】
ハンドル部と、
縦軸を有する筒部と、
前記筒部の先端部に固定されて静止裁断エッジに対して、また、これを通って、移動可能な、可動裁断エッジを有するスライドブロックと、を備え、
前記筒部の先端部は、前記静止裁断エッジに対向するとともに、前記裁断エッジから前記縦軸を横切る方向において第１の距離のスペースを空けて、第１の案内表面を形成し、
前記筒部は、前記スライドブロックに配置された前記可動裁断エッジを支持し、
前記スライドブロックの先端部は、実質的に前記第１の距離と同様であって、スライドを許容する端を差し引いた幅を有し、
したがって、前記可動裁断エッジと静止裁断エッジとの間に配置された縫合糸は、両方の前記裁断エッジによって、前記縦軸を横切る方向において同時に押し付けられる、縫合糸裁断用医療器具。
【請求項８】
前記筒部の先端部はさらに、縫合糸を捕えるフック部材を形成する、請求項７の縫合糸裁断用医療器具。
【請求項９】
前記筒部の先端部は、前記スライドブロックが前記縫合糸と係合するように駆動され、前記可動裁断エッジ及び前記静止裁断エッジとにより前記縫合糸が裁断される前に、前記縫合糸を前記可動裁断エッジと前記静止裁断エッジの間に位置させるための縫合糸通路をさらに形成し、前記縫合糸通路は前記フック部材と前記スライドブロックとの間に配置される、請求項８の縫合糸裁断用医療器具。
【請求項１０】
前記スライドブロックは、ハンドル部に駆動されて、前記筒部の先端部に配置された案内部材に形成された保持溝に沿って、スライドし、
スライドブロックは前記医療装置から分離するように、前記保持溝から取り外し可能である、請求項７の縫合糸裁断用医療器具。
【請求項１１】
前記案内部材は、前記縦軸に沿う前記筒部の軸位置において、前記スライドブロックの両側に並ぶ２つの凹部を有し、
前記スライドブロックが前記筒部の先端部から引っ込められているとき、前記可動裁断エッジは前記２つの凹部と整列し、鋭利化用の器具が、前記第１の裁断エッジを鋭利にするために前記凹部を通って挿入されるのを許容する、請求項１０の縫合糸裁断用医療器具。
【請求項１２】
前記可動裁断エッジは前記スライドブロックの先端の裁断面に形成され、前記裁断面及び２つの凹部は、前記縦軸に垂直でない面に平行に整列する、請求項７の縫合糸裁断用医療器具。
【請求項１３】
前記ハンドル部は、ばね要素によって係合する２つのグリップ部材により動かされる、請求項７の縫合糸裁断用医療器具。
【請求項１４】
縦軸を有しその軸方向に沿って延びる筒に係合するハンドル部材と、
前記筒の先端部に配置され、駆動手段によって前記ハンドル部分に係合され、前記ハンドル部材の駆動により、前記縦軸に沿って軸方向にスライドする、スライド裁断部材と、
前記スライド裁断部材の前記先端のヘッドの幅と実質的に等しい受け幅を有する案内手段と、を備え、
前記スライド裁断部材は、前記スライド裁断部材の先端のヘッドに配置された、縫合糸裁断用の第１の手段を有し、
前記筒の前記先端部は、前記第１の手段に平行に配置された縫合糸裁断用の第２の手段をさらに形成し、
前記案内手段は、前記第２の手段の反対側に配置され、縫合糸を裁断するための前記第１及び第２の手段に係合するように、前記スライド裁断部材を安定させる、縫合糸裁断医療器具。
【請求項１５】
前記筒の先端部は縫合糸を捕えるフック手段を形成する、請求項１４の縫合糸裁断医療器具。
【請求項１６】
前記筒の先端部は、前記駆動手段が駆動されて前記スライド裁断部材と係合し前記第１及び第２の縫合糸裁断用の手段が前記縫合糸を裁断するのに先立って前記縫合糸を前記第１及び第２の縫合糸裁断用の手段の間に配置するための通路手段をさらに形成し、前記通路手段は前記フック手段と前記スライド裁断部材との間に配置される、請求項１５の縫合糸裁断医療器具。
【請求項１７】
前記スライド裁断部材は前記駆動手段の駆動により、前記筒の先端に配置された案内部材に形成された保持溝に沿ってスライドし、
前記スライド裁断部材は、前記医療器具から分離して、前記保持溝から取り外し可能である、請求項１４の縫合糸裁断医療器具。
【請求項１８】
前記案内部材は、前記縦軸に沿う前記筒の軸位置において、前記裁断部材の両側に並ぶ２つの凹部を有し、前記スライド裁断部材が前記筒の先端部から引っ込められているとき、前記第１の裁断手段の裁断エッジは前記２つの凹部と整列し、鋭利化用の器具が前記裁断エッジを鋭利にするために前記凹部を通って挿入されるのを許容する、請求項１７の縫合糸裁断医療器具。
【請求項１９】
前記第１の裁断手段は前記スライド裁断部材の先端の裁断面を有し、前記裁断面及び２つの凹部は、前記縦軸に垂直でない面に平行に整列する、請求項１４の縫合糸裁断医療器具。
【請求項２０】
前記ハンドル部材は、ばね手段によって係合する２つのグリップ部材により動かされる、請求項１４の縫合糸裁断医療器具。
【発明の詳細な説明】
【関連出願】
【０００１】
［０００１］この出願は、２００５年、３月８日に提出された米国仮特許出願番号６０／６５９，４５７について優先権を主張する。また、この仮特許出願に開示された全ての事項は、ここに参照として組み込まれる。
【発明の分野】
【０００２】
［０００２］本発明は医療装置に関し、さらに、特には、ハンドル部と筒部を有する手術用縫合糸カッタに関する。
【発明の背景】
【０００３】
［０００３］カッタの先行技術として、裁断される糸の裁断動作においてカッタブレードを操作する際にカッタブレードを支持する圧搾可能なハンドルを備えたものがすでに知られている。
【０００４】
また、これらのカッタは、裁断される糸に適用される特定のカッタを選択するため、支持するハンドルに対して、裁断部の交換が可能である。
【０００５】
しかしながら、多くの先行技術のカッタは、裁断部品の精度が低く、操作時の裁断動作が不安定または困難となる。
【０００６】
さらに、カッタは、洗浄するのが困難であり、カッタブレードを清潔にし、または鋭利にする信頼性のある方法が無い。
【０００７】
［０００４］それゆえ、この先行技術カッタの欠点を解決し、特に、裁断ヘッドと、裁断される縫合糸への取付部品や連結部品との交換性を提供するとともに、高精度の裁断ができ、安定性が高く、容易な裁断を可能とする装置の提供が望まれている。
【０００８】
［０００５］縫合糸は、研磨材を含み、あるいは、そうでないとしても、硬い材料で構成される。それゆえ、縫合部を容易に裁断できることと、裁断する多くの縫合糸のため鋭い裁断エッジが連続的に存在するように構成されることとの両方を兼ね、そうすることによって、厳しい環境における手術の方法を容易にするカッタが望まれている。
【０００９】
さらに、カッタは、裁断される縫合糸に容易に付けられるように構成されるとともに、縫合糸の裁断が望まれる部分に設定される長さに沿って正確に配置されることが望ましい。
【００１０】
［０００６］さらに、カッタの裁断エッジは容易に鋭利化でき、また、裁断ヘッドは全てハンドルに対して容易に取り替えられ、これによってハンドルに安全に接続可能であることが望ましい。
【発明の概要】
【００１１】
［０００７］上記要望を満たすため、本発明は、その一態様である装置は、その一形態において、裁断の高い精度、高い安定性、容易性を有し、裁断ヘッド及び縫合糸の付属品または係合品の取替え可能性を有する手術用縫合糸裁断器具を提供する。
【００１２】
器具の裁断エッジは容易に鋭利化でき、また、裁断ヘッドは全てハンドルに対して容易に取替え可能に構成され、これにより、ハンドルに安全に接続可能となるように構成されている。
【００１３】
［０００８］本発明の１つの形態では縫合糸裁断用医療装置が提供され、この縫合糸裁断用医療装置は、その軸方向に沿って延びる縦軸を有する筒に係合するハンドル部材を備えている。スライド裁断部材は、前記筒の先端部に配置され、前記筒を通って前記ハンドル部分に係合され、前記ハンドル部材の駆動により、前記縦軸に沿って軸方向にスライドする。前記スライド裁断部材は前記スライドは裁断部材の先端のヘッドに配置される第１の裁断エッジを形成する。前記筒の前記先端部は、前記第１の裁断エッジに平行な第２の裁断エッジと、前記第２の裁断エッジの反対側に配置され、前記裁断部材の前記先端のヘッドの幅と実質的に等しい受け幅を有する案内表面と、をさらに形成する。前記先端のヘッドは、前記スライド裁断部材が前記ハンドル部材によって駆動されることにより前記受け幅を通って挿入可能である。
【００１４】
［０００９］本発明の他の実施形態において、縫合糸裁断医療器具は、ハンドル部と、縦軸を有する筒部とを有する。スライドブロックは、前記筒部の先端に固定されて静止裁断エッジに対して、また、これを通って、移動可能な、可動裁断エッジを有する。前記筒部の先端は、前記静止裁断エッジに対向するとともに、前記裁断エッジから前記縦軸を横切る方向において第１の距離のスペースを空けて、第１の案内表面を形成する。前記筒部は、前記スライドブロックに配置された前記可動裁断エッジを支持する。前記スライドブロックの先端部は、実質的に前記第１の距離と同様であって、スライドを許容する端を差し引いた幅を有する。したがって、縫合糸は前記可動裁断エッジと静止裁断エッジとの間に配置された、両方の前記裁断エッジによって、前記縦軸を横切る方向において同時に押し付けられる。
【００１５】
［００１０］  本発明のさらに別の実施形態において、縫合糸裁断医療器具は、その軸方向に沿って延びる縦軸を有する筒に係合するハンドル部材を有する。スライド裁断部材が、前記筒の先端部に配置され、駆動手段によって前記ハンドル部分に係合され、前記ハンドル部材の駆動により、前記縦軸に沿って軸方向にスライドする。前記スライド裁断部材は、前記スライド裁断部材の先端のヘッドに配置された、縫合糸裁断用の第１の手段を有する。前記筒の前記先端部は、前記第１の手段に平行に配置された縫合糸裁断用の第２の手段をさらに形成する。前記第２の手段の反対側に、前記スライド裁断部材の前記先端のヘッドの幅と実質的に等しい受け幅を有する案内手段が配置されている。前記案内手段は縫合糸を裁断するための前記第１及び第２の手段に係合するように、前記スライド裁断部材を安定させる。
【００１６】
［００１１］以上、ここに記載の詳細な説明をより良く理解し、また、本発明による当技術分野への貢献をより良く理解できるように、本発明のいくつかの実施態様の概要を、広く述べてきた。もちろん、以下に記載され、かつ付属の請求項の主題を構成することになる追加の実施態様も、もちろんある。
【００１７】
［００１２］これに鑑み、本発明の少なくとも１つの実施態様を詳細に説明する前に、本発明の適用は、以下の説明に記載された、もしくは図面に図示された、構造の詳細、および部品の配置に限定されるものではないことを理解すべきである。本発明は、これらの記載されたものの他に、様々な方法で、具現化、実施、および実行可能である。また、ここに、ならびに要約において、用いられている表現や用語は、説明のためのものであって、なんら限定するものではないことを理解すべきである。
【００１８】
［００１３］しかるに、当業者は、本開示に基づく概念を、本発明のいくつかの目的を実行するための、他の構造、方法、およびシステムの設計の基礎として容易に利用することができることを理解するであろう。よって、本発明の要旨および範囲を逸脱しない限り、請求項はそれらの等価な構造を含むものとしてみなされることが重要である。
【詳細な説明】
【００１９】
［００３１］従来の方法によって、ここで用いられるように、用語「基部（ｐｒｏｘｉｍａｌ）」または「基端（ｐｒｏｘｉｍａｌ  ｅｎｄ）」は、装置の特定の端部であって、一般的に医療関係者が扱い又は操作する側に近い方の端部を言う。
【００２０】
また、用語「先端部分（ｄｉｓｔａｌ）」、「先端（ｄｉｓｔａｌ  ｅｎｄ）」は、装置及びその要素の、基部と反対側の特定の端部を言う。
【００２１】
［００３２］概説すると、図は、ハンドル部１０及び筒部１１を有する縫合糸カッタを示している。筒の先端は、裁断される縫合糸を引っ掛けるフック１２を備える。フックは、所望の裁断が実際に行われるように、縫合糸に沿って選択された長さ及び配置でスライド可能である。
【００２２】
ハンドルは支持部１３を有する。支持部１３は、それを貫通するボルト１４と、ボルトをハンドルに固定するナット１６を備える。
【００２３】
ボルト１４はそれを通る通路１７を備える。また筒１１は、筒が固定搭載される場合に、通路１７内に組み合わさる。また、筒１１とハンドル部１３はそれらの間１８において、筒をその軸方向にハンドルに付けるための溝形接続構造を有する。
【００２４】
この、ボルトを用いた構成により、筒は、要望に応じて、ハンドルに対して取替え可能に構成されている。筒をハンドルに筒の縦軸に沿って延びるように取替え可能に搭載するため、他の接続手段も適用可能であることは理解できる。
【００２５】
［００３３］ハンドル部１０は２つのグリップ２１，２２を備えている。これらは、ピン２３により、旋回可能に接続されている。グリップは、介在するばね２４により、離れるように付勢され、ストップ面２６において、グリップ２１がグリップ２２に接するまで、旋回して離れる。
【００２６】
スライドブロック２７は、グリップ２２の最上部に位置するとともに、グリップ部２１の端部に配置された表面２８に位置する。示されるように、ブロック２７が表面２８から上がるのを規制するため、上方に担がれたガイドがある。
【００２７】
図１に示されるように、ピン２９が、ブロック２７に付けられるとともに、ハンドルグリップ部２２の上端の表面３１に乗っている。また、図１及び３に示すように、ハンドル２１は、ピン２９を受け、ハンドルが駆動されたときにピンを動かし、ブロック２７を左右に動かすためのスロット３２を有する。
【００２８】
グリップ２１が、裁断動作の際に、グリップ２２に対して反時計回りに旋回することが考えられる。
【００２９】
［００３４］筒１１は、中空孔３４を呈する管３３を有する。ロッド３６は、管３３内で、軸方向にスライド可能であり、ブロック２７の開口３８に捕捉されたボール３７により、ブロック２７に接続されている。
【００３０】
管３３の先端は、それに固定して取り付けられるガイド部材３９を有する。ガイド部材３９は、その先端に、縫合フック１２を備えている。図１８に示されるように、フック１２は、第１のサイドに、縫合糸Ｓに付けるための、縫合糸進入開口４２を形成する。
【００３１】
図１９に示されるように、ガイド部材３９の先端は、また、前述した第１のサイドと反対側の第２のサイドに、縫合糸Ｓの排出のための第２の開口４３を形成する。
【００３２】
さらに、部材３９は、入口４２と出口４３との間に延びる縫合糸通路４４を形成する。
【００３３】
静止したまっすぐな縫合糸の裁断エッジ４６は、また、入口４２及び出口４３の間で、縫合糸Ｓに対向するように配置されている。スライドガイド４７は、部材３９上にあり、平らな表面４８及びこの表面４８上の曲縁４９を有する。
【００３４】
［００３５］図１２〜１７は、図２２に示すＴ字型接続により、部材３９と組み合わされ、スライドカッタ部材５１を示す。
【００３５】
このため、部材５１は、それを支持する部材３９に対して、横方向に外れることができない。
【００３６】
すなわち、部材５１は、示されるように、スライド可能に部材３９に搭載され、Ｔ−スロット５３内に合うように配置されたＴ−フランジ５２を有する。図示されるように、Ｔ−スロット５３は部材３９により形成され、その先端部に沿う。
【００３７】
図３及び図１５に示されるように、部材５１は、ロッド３６とはめ込み式の接続がされるように、円筒状の開口５４を備え、このため、ロッド３６に軸方向に固定されて接続され、ハンドル部１０の上方への圧縮駆動に応じてロッド３６と共に、動かされる。
【００３８】
部材５１の円筒状の端部５６は、ガイド部材３９の基端部において、筒端部５７内で、スライド可能に案内される。
【００３９】
また、部材３９及び５１は、平面５８に交差する、摺動接触及び案内のための平らな表面を備える。また、ガイド部材３９内に形成された溝部５９に配置された突起部５９により、溝形に構成され、スライド可能に接触するスライド表面がある。
【００４０】
［００３６］スライドカッタ部材５１は、部材３９に対してスライド可能に接触して滑合して案内され、管３３の軸に揃う縦軸Ａに沿って移動する。図９に示される軸Ａは、軸Ｐ及びＬによって形成される図の面に対して垂直方向を向く。
【００４１】
［００３７］部材５１は、裁断エッジ４６に対向する弓形形状の裁断エッジ６１を有する。ハンドル２１及び２２の圧縮により部材５１が移動すると、部材５１は縫合糸Ｓに向かって前進し、図２１に示されるように、縫合糸を裁断するように、２つの裁断エッジ４６，６１の間で縫合糸に対して力を加える。
【００４２】
この裁断動作において、静止した部材３９には、部材５１の平らな表面６２と係合するスライド表面４８がある。
【００４３】
表面４８が裁断エッジ４６に対向し、移動する裁断部材５１は、裁断エッジ４６，６１の間の滑合接触から横方向に外れることができない。
【００４４】
このため、縫合糸Ｓは、まっすぐな裁断エッジ４６に接触し、さらに裁断エッジ４６を超えてスライドする、アーチ形状の裁断エッジ６１により、正確、清潔、かつ、容易に切断される。
【００４５】
この縁６１の凹形状部分により、縫合糸が裁断エッジに引っかかり、所望の裁断動作がなされる。
【００４６】
［００３８］図示されるように、器具がまだ組み付いている間に、裁断エッジ６１を鋭利にするため、二つの凹部６７が、図示しないやすりその他のシャープナーによりエッジ６１に容易にアクセス及び接触するために部材３９内に配備されている。
【００４７】
したがって、部材３９は、凹部６７の近傍でこれに保持される裁断エッジ６１を有するように、配置されている。裁断エッジ６１は弓形状の表面６８の末端にある。表面６８は、図１３に示されるように、器具の縦軸に対して角度を成す。
【００４８】
加えて、図４に示されるように、凹み部は、器具の縦方向において、互いにオフセットしている。そのため、これらは裁断面６８と揃っている。２つの凹み部により、いずれかのサイドからも、器具が鋭利にする動作をすることができる。
【００４９】
［００３９］好ましい実施形態では、側壁４８と裁断エッジ４６との間の距離は、移動する裁断エッジ６１を支持するヘッド６９の幅Ｗと実質的に等しい。
【００５０】
したがって、表面４８は、裁断動作の際に裁断エッジ６１が裁断エッジ４６から離れる横の動きを規制する。また、スライドを許容する範囲内で、部分４８の幅は、２つの裁断エッジの裁断位置における距離よりも僅かに小さい。
【００５１】
裁断動作の際に、表面４８、６２及び裁断エッジ４６，６１は、表面が横側壁として裁断ヘッド６９を裁断エッジ４６に向かって案内するため、互いにスライド可能に接触する。
【００５２】
［００４０］図９は、縦軸Ａを提供する縦面Ｌを示す。カッタ部材５１は、縦軸Ａに沿ってスライドするとともに、例えば図２２のＴ型接続構造により横に規制されて案内されている間は、この縦軸Ａから外れない。裁断エッジ４６及び側壁表面４８及び６２は、裁断動作の際に、平面Ｐに垂直な平面Ｌに、同時に平行となる。裁断エッジ６１は、裁断エッジ４６に対して凹んでいる。したがって、縫合糸は、２つの裁断エッジの間に引っかかる。
【００５３】
［００４１］組立の場合、部材５１は、スリーブ５７内に通されてから突起５２が配置される場所に部材３９により形成された幅広い溝７１内に向かって移動する基端部５６を有する。
【００５４】
そして、部材５１は下方に下がり、突起５１が入る狭いＴ型溝５３に向かってスライドする。
【００５５】
突起５２は、部材５１上にあり、裁断エッジ６１の配置と同じ端の近傍に位置する。
【００５６】
Ｔ型接続は、部材５１の先端部及び裁断エッジ６１を横方向に支持し、裁断エッジ６１を、協働してせん断する裁断エッジ４６に、せん断接触させる。
【００５７】
突起５２及び溝５３は、裁断エッジ４６，６１の間で、摺動接触が行われるように、互いにスライドする表面を、図２２の７２に有する。
【００５８】
［００４２］さらに、図２０に示すように、裁断エッジ間の摺動接触は、縫合糸を横切って配置され、裁断エッジ４６から通路４６ブロック４７を提供する。したがって、せん断裁断の間、裁断ヘッド６９は、裁断エッジ４６とスライドする蹄型ガイド４８に両方に接触する。このため、スライドする蹄型ガイド４８は、裁断エッジ４６に直接対向するとともに、面４８の縦の通常のベクトル線が、裁断エッジ４６に交差する。
【００５９】
［００４３］本発明の多くの特徴および利点は、詳細な明細書から明らかであり、従って、本発明の真の概念および範囲に含まれる、本発明のこれらの特徴および利点をすべて網羅することが、付属の請求項により、意図するところである。更に、当業者には様々な修正や変更が容易に可能であるので、本発明を図示、または記載された正確な構成および機能に限定することを望むものではなく、従って、適切な変更物および等価物はすべて、本発明の範囲に含まれるものである。
【図面の簡単な説明】
【００６０】
【図１】図１は、本発明の縫合糸用カッタの中間部分を切欠き省略して示す側面図。
【図２】図２は、図１の上平面図。
【図３】図３は、図２の３−３線に沿う断面図。
【図４】図４は、図１の前端部の拡大斜視図。
【図５】図５は、図４の後斜視図。
【図６】図６は、図４と同様であるが一部を切欠した上斜視図。
【図７】図７は、図６の上平面図。
【図８】図８は図７の正面図。
【図９】図９は、図８の左端の立面図。
【図１０】図１０は、図８の右端の立面図。
【図１１】図１１は、図８の下平面図。
【図１２】図１２は、図４のカッタ部分の下斜視図。
【図１３】図１３は、図４のカッタ部分の側面図。
【図１４】図１４は、図１３の左端立面図。
【図１５】図１５は、図１３の右端立面図。
【図１６】図１６は、図１３の下平面図。
【図１７】図１７は、図１３の上平面図。
【図１８】図１８は、図４の縫合糸が引っかかる右端部を拡大した上斜視図であって、図４から回転させて示す。
【図１９】図１９は、図１８と同様の上斜視図であって、縫合糸がさらに進んで引っかかっている場合を示す。
【図２０】図２０は、図１８と同様の上斜視図であって、縫合糸がさらに進んで引っかかっている場合を示す。
【図２１】図２１は、図１８と同様の上斜視図であって、カッタが裁断動作を超えて縫合糸が裁断された場合を示す。
【図２２】図２２は、図５の線２２−２２に沿う面における断面図。
【図１】
2008532645.tif 000003
【図２】
2008532645.tif 000004
【図３】
2008532645.tif 000005
【図４】
2008532645.tif 000006
【図５】
2008532645.tif 000007
【図６】
2008532645.tif 000008
【図７】
2008532645.tif 000009
【図８】
2008532645.tif 000010
【図９】
2008532645.tif 000011
【図１０】
2008532645.tif 000012
【図１１】
2008532645.tif 000013
【図１２】
2008532645.tif 000014
【図１３】
2008532645.tif 000015
【図１４】
2008532645.tif 000016
【図１５】
2008532645.tif 000017
【図１６】
2008532645.tif 000018
【図１７】
2008532645.tif 000019
【図１８】
2008532645.tif 000020
【図１９】
2008532645.tif 000021
【図２０】
2008532645.tif 000022
【図２１】
2008532645.tif 000023
【図２２】
2008532645.tif 000024
【国際調査報告】
2008532645.tif 000025
2008532645.tif 000026
2008532645.tif 000027